(57)【要約】【課題】  壁等に電力線を通すための貫通孔を開ける配線工事が不要な外付けカーテン開閉装置を提供すること。【解決手段】  ガラス窓３の外側に取り付けられてガラス板３ａを覆うカーテンを開閉可能な外付けカーテン開閉装置であって、ガラス窓３の外側に設けられカーテンを巻き取って収納可能な巻き取り駆動機構と、該巻き取り駆動機構に電力を供給する電力供給機構６と、を備え、該電力供給機構６が、ガラス板３ａの内側に配されて交流磁場を発生させる内側送電コイル７と、ガラス板３ａの外側に配されていると共に巻き取り駆動機構に接続され交流磁場による電磁誘導で発生した電力を巻き取り駆動機構に供給する外側受電コイル８と、を備えている。【選択図】      図２
2009240506.tif 000002
【特許請求の範囲】
【請求項１】
ガラス戸又はガラス窓の外側に取り付けられてガラス板を覆うカーテンを開閉可能な外付けカーテン開閉装置であって、
前記ガラス戸又はガラス窓の外側に設けられ前記カーテンを巻き取って収納可能な巻き取り駆動機構と、
該巻き取り駆動機構に電力を供給する電力供給機構と、を備え、
該電力供給機構が、前記ガラス板の内側に配されて交流磁場を発生させる内側送電コイルと、前記ガラス板の外側に配されていると共に前記巻き取り駆動機構に接続され前記交流磁場による電磁誘導で発生した電力を前記巻き取り駆動機構に供給する外側受電コイルと、を備えていることを特徴とする外付けカーテン開閉装置。
【請求項２】
請求項１に記載の外付けカーテン開閉装置において、
前記巻き取り駆動機構が、開口部から前記カーテンを出し入れ可能であると共に巻き取った前記カーテンを収納可能な収納部を備え、
前記カーテンの先端に、前記巻き取り駆動機構により全て巻き取られた際に前記開口部を閉塞可能な形状とされた閉塞部材が取り付けられていることを特徴とする外付けカーテン開閉装置。
【請求項３】
請求項１又は２に記載の外付けカーテン開閉装置において、
前記巻き取り駆動機構が、前記ガラス戸又はガラス窓の上部に回転可能にかつ水平に取り付けられ前記カーテンを巻回可能な巻き取り軸と、
該巻き取り軸の端部に連結されて前記巻き取り軸を回転させると共に前記外側受電コイルに電気的に接続されて電力供給を受けるモータと、を備えていることを特徴とする外付けカーテン開閉装置。
【発明の詳細な説明】
【技術分野】
【０００１】
本発明は、ガラス戸又はガラス窓の外側に取り付けられてガラス板を覆うカーテンを開閉可能な外付けカーテン開閉装置に関する。
【背景技術】
【０００２】
一般に、住宅等のガラス戸やガラス窓の内側には遮光のため、カーテンが取り付けられているが、近年、手動式に比べて電動式で容易にカーテンの開閉ができる種々の電動カーテンが提案されている。例えば、特許文献１には、カーテンレールに吊り下げられたカーテンを駆動モータ等により電動で開閉できる駆動機構を備えた電動カーテンが開示されている。
【０００３】
【特許文献１】特開２００６−３１４３８９号公報
【発明の開示】
【発明が解決しようとする課題】
【０００４】
上記従来の技術には、以下の課題が残されている。
ガラス戸やガラス窓の内側、すなわち屋内側にカーテンを設けるとカーテンによって熱が遮断されガラス板とカーテンとの間に熱が籠もってしまうことから、室内空調に無駄が生じてしまう不都合がある。このため、近年、ガラス戸やガラス窓の外側、すなわち屋外側にカーテンを取り付けることが要望されている。しかしながら、ガラス戸やガラス窓の外側にカーテンを取り付けた外付けカーテンの場合、電動でカーテンを開閉しようとすると屋外側に設けたカーテンの駆動機構に電力を供給するため、壁等に貫通孔を開けて屋内の電力線を屋外へ取り出して駆動機構に接続する配線工事が必要になるという不都合があった。
【０００５】
本発明は、前述の課題に鑑みてなされたもので、壁等に電力線を通すための貫通孔を開ける配線工事が不要な外付けカーテン開閉装置を提供することを目的とする。
【課題を解決するための手段】
【０００６】
本発明は、前記課題を解決するために以下の構成を採用した。すなわち、本発明の外付けカーテン開閉装置は、ガラス戸又はガラス窓の外側に取り付けられてガラス板を覆うカーテンを開閉可能な外付けカーテン開閉装置であって、前記ガラス戸又はガラス窓の外側に設けられ前記カーテンを巻き取って収納可能な巻き取り駆動機構と、該巻き取り駆動機構に電力を供給する電力供給機構と、を備え、該電力供給機構が、前記ガラス板の内側に配されて交流磁場を発生させる内側送電コイルと、前記ガラス板の外側に配されていると共に前記巻き取り駆動機構に接続され前記交流磁場による電磁誘導で発生した電力を前記巻き取り駆動機構に供給する外側受電コイルと、を備えていることを特徴とする。
【０００７】
この外付けカーテン開閉装置では、電力供給機構が、互いにガラス板を挟んで内側と外側とに別々に配されて電磁誘導で電力伝達する内側送電コイルと外側受電コイルとを備えているので、屋内から非接触で屋外の巻き取り駆動機構に電力伝達を行うことで、壁に貫通孔を開ける等の配線工事を必要とせず、外側の巻き取り駆動機構を駆動してカーテンの開閉を行うことができる。なお、ガラス板を通して交流磁場を発生させるため、金属板等により磁場が遮蔽されずに良好な電力伝達が可能である。
【０００８】
また、本発明の外付けカーテン開閉装置は、前記巻き取り駆動機構が、開口部から前記カーテンを出し入れ可能であると共に巻き取った前記カーテンを収納可能な収納部を備え、前記カーテンの先端に、前記巻き取り駆動機構により全て巻き取られた際に前記開口部を閉塞可能な形状とされた閉塞部材が取り付けられていることを特徴とする。すなわち、この外付けカーテン開閉装置では、カーテンの先端に、巻き取り駆動機構により全て巻き取られた際に収納部の開口部を閉塞可能な形状とされた閉塞部材が取り付けられているので、カーテンを巻き取って収納した際に収納部の開口部が閉塞部材で閉塞されることで、雨水等の収納部への侵入を防ぐ密閉防水構造とすることができる。
【０００９】
また、本発明の外付けカーテン開閉装置は、前記巻き取り駆動機構が、前記ガラス戸又はガラス窓の上部に回転可能にかつ水平に取り付けられ前記カーテンを巻回可能な巻き取り軸と、該巻き取り軸の端部に連結されて前記巻き取り軸を回転させると共に前記外側受電コイルに電気的に接続されて電力供給を受けるモータと、を備えていることを特徴とする。すなわち、この外付けカーテン開閉装置では、巻き取り駆動機構が、ガラス戸又はガラス窓の上部に取り付けられた巻き取り軸と、これを回転させるモータと、を備えているので、巻き取り軸に吊り下げられたカーテンを巻き取り軸に巻き取ることで、カーテンを上下に開閉可能することができる。
【発明の効果】
【００１０】
本発明によれば、以下の効果を奏する。
すなわち、本発明に係る外付けカーテン開閉装置によれば、電力供給機構が、互いにガラス板を挟んで内側と外側とに別々に配されて電磁誘導で電力伝達する内側送電コイルと外側受電コイルとを備えているので、屋内から非接触で屋外の巻き取り駆動機構に電力伝達を行うことで、壁に貫通孔を開ける等の配線工事を必要とせず、外側の巻き取り駆動機構を駆動してカーテンの開閉を行うことができる。したがって、外付けの電動カーテンとして、特別な配線工事が不要であり、簡易な作業で取り付けできることから、取付コストの低減を図ることが可能である。
【発明を実施するための最良の形態】
【００１１】
以下、本発明に係る外付けカーテン開閉装置の一実施形態を、図１から図３を参照しながら説明する。なお、以下の説明に用いる各図面では、各部材を認識可能又は認識容易な大きさとするために縮尺を適宜変更している。
【００１２】
本実施形態の外付けカーテン開閉装置１は、図１から図３に示すように、例えば壁２にはめ込まれたガラス窓３の外側に取り付けられてガラス板３ａを覆うカーテン４を開閉可能な電動カーテンであって、ガラス窓３の外側に設けられカーテン４を巻き取って収納可能な巻き取り駆動機構５と、該巻き取り駆動機構５に電力を供給する電力供給機構６と、を備えている。
【００１３】
上記電力供給機構６は、図２に示すように、ガラス板３ａの内側に配されて交流磁場を発生させる内側送電コイル７と、ガラス板３ａの外側に配されていると共に巻き取り駆動機構５に接続され交流磁場による電磁誘導で発生した電力を巻き取り駆動機構５に供給する外側受電コイル８と、該外側受電コイル８に接続されコンデンサ等を有した屋外制御回路９と、屋内等において無線通信でカーテン４の開閉を操作可能なリモートコントローラ１０と、を備えている。
【００１４】
上記内側送電コイル７は、ガラス窓３の上部であって屋内側の壁２に取り付けられた屋内側ユニット１２に収納されている。また、内側送電コイル７と外側受電コイル８とは、ガラス板３ａを挟んで互いに対向状態に設置されている。
上記屋内側ユニット１２内には、屋内のＡＣ１００Ｖの電力線Ｌに接続され内側送電コイル７に交流電圧を印加する屋内制御回路１３と、該屋内制御回路１３に接続されリモートコントローラ１０からの無線通信を受信する受信部１１と、が収納されている。
【００１５】
上記リモートコントローラ１０は、カーテン４の開閉ボタン１０ａを有し、開閉ボタン１０ａを押すことで赤外線通信又は電波通信によって無線で開閉信号を受信部１１へ送信可能な機能を有している。
上記屋内制御回路１３は、受信部１１で受信した開閉信号に基づいて内側送電コイル７に交流電圧を印加して交流磁場を発生させる機能を有している。
【００１６】
上記巻き取り駆動機構５は、開口部１４ａからカーテン４を出し入れ可能であると共に巻き取ったカーテン４を収納可能な収納部１４と、該収納部１４内に回転可能にかつ水平に取り付けられカーテン４を巻回可能な巻き取り軸１５と、該巻き取り軸１５の端部に連結されて巻き取り軸１５を回転させると共に外側受電コイル８に屋外制御回路９を介して電気的に接続されて電力供給を受けるモータＭと、を備えている。
【００１７】
上記収納部１４は、ガラス窓３の上部の壁２に固定されている。
上記巻き取り軸１５の一端は、収納部１４内に設けられた軸受け部１６に回転可能に支持されている。
上記モータＭは、屋外制御回路９により回転量が制御されるサーボモータである。本実施形態では、モータＭは巻き取り軸１５の他端に直接連結されているが、ギア等を介して連結されていても構わない。
【００１８】
なお、モータＭの回転方向は、例えばカーテン４が全て巻き取られている状態ではカーテン４を送り出して閉める方向に回転され、逆にカーテン４が全て送り出されて閉まっている状態では回転方向が反転してカーテン４を巻き取る方向に回転されるように設定しても構わない。また、屋内制御回路１３による開閉信号に対応した内側送電コイル７からの交流磁場の発生状態に応じて、屋外制御回路９がモータＭの回転方向についての正逆を判断し、モータＭの回転方向を制御にしても構わない。また、別途、屋内側ユニット１２に回転方向の正逆を信号として無線送信する機能を設け、屋外側にその信号を無線受信して屋外制御回路９に送る機能を設けても構わない。
【００１９】
上記カーテン４は、樹脂フィルムで形成されており、上端が巻き取り軸１５に固定されている。なお、カーテン４は、巻き取り軸１５に着脱可能に固定されており、交換可能とされている。
また、上記カーテン４の先端には、巻き取り駆動機構５により全て巻き取られた際に開口部１４ａを閉塞可能な形状とされた閉塞部材１７が取り付けられている。該閉塞部材１７は、断面略三角形状とされカーテン４の先端に沿った棒状のおもりである。なお、収納部１４の開口部１４ａには、Ｏリング１４ｂが設けられて開口部１４ａを閉塞部材１７が閉塞する際には、Ｏリング１４ｂが閉塞部材１７に密接して密閉性を向上させている。
【００２０】
この外付けカーテン開閉装置１でカーテン４を開閉するには、例えばカーテン４が全て収納部１４から出されてガラス窓３を覆って閉められている場合、屋内からリモートコントローラ１０の開閉ボタン１０ａを押すと、無線通信で開閉信号が送信されると共に屋内側ユニット１２の受信部１１がこの開閉信号を受信する。受信した開閉信号に基づき、屋内制御回路１３は、内側送電コイル７に交流電圧を加えて交流磁場を発生させる。
【００２１】
この際、ガラス板３ａを挟んで外側の外側受電コイル８では、電磁誘導によって起電力が発生し、この起電力が屋外制御回路９で整流及び蓄電等され、駆動のための電力がモータＭに供給される。駆動されたモータＭにより巻き取り軸１５が回転させられると共にカーテン４が巻き取り軸１５に巻き取られ、引き上げられて収納部１４内に収納されていく。全てのカーテン４が収納されると先端の閉塞部材１７が開口部１４ａにはめ込まれた状態となり、開口部１４ａが閉塞される。
【００２２】
このように本実施形態の外付けカーテン開閉装置１では、電力供給機構６が、互いにガラス板３ａを挟んで内側と外側とに別々に配されて電磁誘導で電力伝達する内側送電コイル７と外側受電コイル８とを備えているので、屋内から非接触で屋外の巻き取り駆動機構５に電力伝達を行うことで、壁２に貫通孔を開ける等の配線工事を必要とせず、外側の巻き取り駆動機構５を駆動してカーテン４の開閉を行うことができる。
【００２３】
また、カーテン４の先端に、巻き取り駆動機構５により全て巻き取られた際に、収納部１４の開口部１４ａを閉塞可能な形状とされた閉塞部材１７が取り付けられているので、カーテン４を巻き取って収納した際に、収納部１４の開口部１４ａが閉塞部材１７で閉塞されることで、雨水等の収納部１４への侵入を防ぐ密閉防水構造とすることができる。
【００２４】
なお、本発明の技術範囲は上記実施形態に限定されるものではなく、本発明の趣旨を逸脱しない範囲において種々の変更を加えることが可能である。
【００２５】
本実施形態では、外付けカーテン開閉装置１をガラス窓３に取り付けているが、ガラス戸に適用しても構わない。
無線通信によるリモートコントローラ１０を採用しているが、有線で操作可能なリモートコントローラを採用しても構わない。
【００２６】
本実施形態では、上下にカーテン４を開閉させるように外付けカーテン開閉装置を設けているが、ガラス窓３の上部にカーテンレールを設けると共にガラス窓３の左右端の少なくとも一方に巻き取り駆動機構を設けることで、左右の水平方向にカーテン４を開閉させるように外付けカーテン開閉装置を取り付けても構わない。
【図面の簡単な説明】
【００２７】
【図１】本発明に係る外付けカーテン開閉装置の一実施形態を示す断面図である。
【図２】本実施形態において、内側送電コイルと外側受電コイルとによる電力伝達を説明するための装置の回路構造図である。
【図３】本実施形態において、カーテンが全て出された状態での外付けカーテン開閉装置を示す正面図である。
【符号の説明】
【００２８】
１…外付けカーテン開閉装置、３…ガラス窓、３ａ…ガラス板、４…カーテン、５…巻き取り駆動機構、６…電力供給機構、７…内側送電コイル、８…外側受電コイル、１４…収納部、１４ａ…収納部の開口部、１５…巻き取り軸、１７…閉塞部材、Ｍ…モータ
【図１】
2009240506.tif 000003
【図２】
2009240506.tif 000004
【図３】
2009240506.tif 000005